(57)【要約】【課題】下衣が腰上部に確実に固定されて、上下方向に位置ずれすることを防止できるセパレート着物を提供する。【解決手段】  セパレート着物は、腰骨の上に巻かれて結ばれることにより固定されているウエストベルト部を備え、ウエストベルト部は、左ベルト部、右ベルト部、後ベルト部とに左右方向に略均等に分けられており、左ベルト部の左端に設けられ紐状の左腰紐部と、右ベルト部の右端に設けられ紐状の右腰紐部と、左ベルト部と後ベルト部の境界付近に設けられ表裏に貫通する腰紐通し穴と、左ベルト部の左端付近に設けられ右腰紐部を通される右腰紐通し部と、左ベルト部と後ベルト部との境界付近に設けられ左腰紐部を通される左腰紐通し部と、後ベルト部に設けられ左腰紐部および右腰紐部を通される後腰紐通し部とを備えることを特徴とする。【選択図】図１
2019104994.tif 000002
【特許請求の範囲】
【請求項１】
上衣と下衣とに分離されたセパレート着物の下衣であって、
裾から腰上部まで延び、下半身に巻かれる本体布地を含み、
前記腰上部は、左右方向に延在し、腰骨の上に巻かれて結ばれることにより固定されているウエストベルト部を備え、
前記ウエストベルト部は、左ベルト部、右ベルト部、後ベルト部とに左右方向に略均等に分けられており、
前記左ベルト部の左端に設けられ紐状の左腰紐部と、
前記右ベルト部の右端に設けられ紐状の右腰紐部と、
前記左ベルト部と後ベルト部の境界付近に設けられ表裏に貫通する腰紐通し穴と、
前記左ベルト部の左端付近に設けられ前記右腰紐部を通される右腰紐通し部と、
前記左ベルト部と後ベルト部との境界付近に設けられ前記左腰紐部を通される左腰紐通し部と、
前記後ベルト部に設けられ前記左腰紐部および前記右腰紐部を通される後腰紐通し部とを備えることを特徴とする、セパレート着物の下衣。
【請求項２】
前記後紐通し部は、上下二段の紐通し部を形成し、
右腰紐部および左腰紐部が、それぞれ、選択的にいずれか一方の前記紐通し部を通される、請求項１に記載のセパレート着物の下衣。
【請求項３】
さらに、前記ウエストベルト部は、周方向に伸縮可能な伸縮部を備える、請求項１または請求項２に記載のセパレート着物の下衣。
【請求項４】
前記本体布地は、その右端の前記裾から前記腰上部までの長さ寸法が、左端の前記裾から前記腰上部までの長さ寸法よりも左右方向に傾斜しながら短くなるように形成されている、請求項１〜３のいずれか一項に記載のセパレート着物の下衣。
【請求項５】
前記本体布地の胴回りに沿って縫着されたおはしょり部を備えることを特徴とする、セパレート着物の下衣。
【請求項６】
裾から腰上部まで延び、下半身に巻かれる本体布地を含み、
前記腰上部は、左右方向に延在し、腰骨の上に巻かれて結ばれることにより固定されているウエストベルト部を備え、
前記ウエストベルト部は、左ベルト部、右ベルト部、後ベルト部とに左右方向に略均等に分けられており、
前記左ベルト部の左端に設けられ紐状の左腰紐部と、
前記右ベルト部の右端に設けられ紐状の右腰紐部と、
前記左ベルト部と後ベルト部の境界付近に設けられ表裏に貫通する腰紐通し穴と、
前記左ベルト部の左端付近に設けられ前記右腰紐部を通される右腰紐通し部と、
前記左ベルト部と後ベルト部との境界付近に設けられ前記左腰紐部を通される左腰紐通し部と、
前記後ベルト部に設けられ前記左腰紐部および前記右腰紐部を通される後腰紐通し部とを備えることを特徴とする、セパレート着物の下衣。
【発明の詳細な説明】
【技術分野】
【０００１】
本発明は、上衣と下衣とに分離されたセパレート着物に関する。
【背景技術】
【０００２】
着物は日本の文化として深く根付いている。しかし、一般に、着物の着付けには時間が掛かり、また熟練した者でなければ美しく着付けを行うことは困難である。そのため、近年では、着物に対して敷居の高さを感じ、着物の着用や購入をためらうことがある。または、着物の所有者が着付けの手間を惜しんで、式典等の特別な日以外に着物を着用しなくなってしまうことも考えられる。
【０００３】
これに対して、着付けを容易に行うことができる着物として、たとえば、特許文献１に記載されたセパレート着物が知られている。セパレート着物は、上半身に対応する上衣と下半身に対応する下衣とに分離されている。このようなセパレート着物は、着付けに慣れていない者であっても比較的簡単に着付けを行うことができ、着用を容易にする。そして、例えば、特許文献１に記載のセパレート着物の下衣は、着用をさらに容易にすべく、腰上部において上縁の両端に縫着された腰紐を結ぶことで下衣を固定している。
【先行技術文献】
【特許文献】
【０００４】
【特許文献１】特開２００３−０５５８０７号公報
【発明の概要】
【発明が解決しようとする課題】
【０００５】
しかし、単純に腰紐を腰上部において結ぶだけでは、結びが緩い状態では、下衣が上下に位置ずれしてしまい、一方で、結びを強くすると腹部を圧迫してしまうという課題があった。特に、セパレート着物の下衣は、外側から着物帯を巻かれるため、結びが弱くて上下に位置ずれしてしまうと、ズレを直すことが困難となり、一方で、結びが強くて腹部が圧迫される場合は、着物帯によりさらに、強く圧迫されることなる。
【課題を解決するための手段】
【０００６】
（１）上記課題を解決するために、本発明に係るセパレート着物の下衣は、上衣と下衣とに分離されたセパレート着物の下衣であって、裾から腰上部まで延び、下半身に巻かれる本体布地を含み、前記腰上部は、左右方向に延在し、腰骨の上に巻かれて結ばれることにより固定されているウエストベルト部を備え、前記ウエストベルト部は、左ベルト部、右ベルト部、後ベルト部とに左右方向に略均等に分けられており、前記左ベルト部の左端に設けられ紐状の左腰紐部と、前記右ベルト部の右端に設けられ紐状の右腰紐部と、前記左ベルト部と後ベルト部の境界付近に設けられ表裏に貫通する腰紐通し穴と、前記左ベルト部の左端付近に設けられ前記右腰紐部を通される右腰紐通し部と、前記左ベルト部と後ベルト部との境界付近に設けられ前記左腰紐部を通される左腰紐通し部と、前記後ベルト部に設けられ前記左腰紐部および前記右腰紐部を通される後腰紐通し部とを備えることを特徴とする。
【０００７】
このセパレート着物の下衣によれば、下衣を着用するときに、右腰紐部を、腰紐通し穴に通し、左周りに、後腰紐通し部を通した後に、右腰紐通し部に通して、着用者の前側まで移動する。次に、左腰紐部を、右回りにして、後腰紐通し部に通した後に、左腰紐通し部を通して着用者の前側まで移動する。そして、右腰紐部と左腰紐部とを着用者の前側で結ぶことで、下衣を腰上部に固定することができる。
【０００８】
これにより、このセパレート着物の下衣は、右腰紐部が腰紐通し穴、後腰紐通し部および右腰紐通し部を通され、左腰紐部が、後腰紐通し部および左腰紐通し部を通されることにより、両腰紐部が下衣の巻かれる周方向に複数の位置で下衣の本体布地を支持することになり、下衣が腰上部に確実に固定されて、上下方向に位置ずれすることを防止される。したがって、腰紐部の結びを必要以上に強くすることなく、下衣を固定することができ、着用者の腹部を圧迫することもない。
【０００９】
（２）前記後紐通し部は、上下二段の紐通し部を形成し、右腰紐部および左腰紐部が、それぞれ、選択的にいずれか一方の前記紐通し部を通されていてもよい。このようにすれば、上下二段の紐通し部を選択して右腰紐部および左腰紐部を通すことにより、下衣の裾の位置を調整することができる。
【００１０】
（３）さらに、前記ウエストベルト部は、周方向に伸縮可能な伸縮部を備えていてもよい。このようにすれば、伸縮部が伸縮してウエストベルト部が着用者の体、特にウエストに沿った状態となり、腰紐部の結びを必要以上に強くすることなく下衣を固定することができるため着用者の腹部を圧迫することがなく、またセパレート着物の下衣の着用状態を綺麗にすることができる。
【００１１】
（４）前記本体布地は、その右端の前記裾から前記腰上部までの長さ寸法が、左端の前記裾から前記腰上部までの長さ寸法よりも左右方向に傾斜しながら短くなるように形成されていてもよい。このようにすれば、下衣を下半身に巻いた際に、裾の左右の脇を細くみせることができ、いわゆる「裾すぼまり」の状態となり、セパレート着物の下衣の着用状態を綺麗にすることができる。
【００１２】
（５）前記本体布地の胴回りに沿って縫着されたおはしょり部を備えることを特徴としてもよい。このような、セパレート着物の下衣によれば、胴回りに沿って設けられたおはしょり部が、下側からはみ出すように外側から着物帯を巻かれることにより、そのまま、従来の着物のおはしょりに相当するため、別途に、布地を折り込んでおはしょりを形成するための紐やゴム等の着付けの小道具を必要とせず、着付けに手間がかからない。
【００１３】
また、おはしょり部は、下衣の本体布地に縫着されているため、セパレート着物の下衣を着用して、着物帯を巻くときに、周方向に位置ずれすることがなく、さらに、おはしょりを形成するために、おはしょりベルトを必要とすることもない。したがって、おはしょりを簡易かつ綺麗に形成することができる。
【００１４】
（６）上記課題を解決するために、本発明に係るセパレート着物は、裾から腰上部まで延び、下半身に巻かれる本体布地を含み、前記腰上部は、左右方向に延在し、腰骨の上に巻かれて結ばれることにより固定されているウエストベルト部を備え、前記ウエストベルト部は、左ベルト部、右ベルト部、後ベルト部とに左右方向に略均等に分けられており、前記左ベルト部の左端に設けられ紐状の左腰紐部と、前記右ベルト部の右端に設けられ紐状の右腰紐部と、前記左ベルト部と後ベルト部の境界付近に設けられ表裏に貫通する腰紐通し穴と、前記左ベルト部の左端付近に設けられ前記右腰紐部を通される右腰紐通し部と、前記左ベルト部と後ベルト部との境界付近に設けられ前記左腰紐部を通される左腰紐通し部と、前記後ベルト部に設けられ前記左腰紐部および前記右腰紐部を通される後腰紐通し部とを備えることを特徴とする。
【００１５】
このセパレート着物によれば、下衣を着用するときに、右腰紐部を、腰紐通し穴に通し、左周りに、後腰紐通し部を通した後に、右腰紐通し部に通して、着用者の前側まで移動する。次に、左腰紐部を、右回りにして、後腰紐通し部に通した後に、左腰紐通し部を通して着用者の前側まで移動する。そして、右腰紐部と左腰紐部とを着用者の前側で結ぶことで、下衣を腰上部に固定することができる。
【００１６】
これにより、このセパレート着物は、右腰紐部が腰紐通し穴、後腰紐通し部および右腰紐通し部を通され、左腰紐部が、後腰紐通し部および左腰紐通し部を通されることにより、両腰紐部が下衣の巻かれる周方向に複数の位置で下衣の本体布地を支持することになり、下衣が腰上部に確実に固定されて、上下方向に位置ずれすることを防止される。したがって、腰紐部の結びを必要以上に強くすることなく、下衣を固定することができ、着用者の腹部を圧迫することもない。
【発明の効果】
【００１７】
本発明は、下衣が腰上部に確実に固定されて、上下方向に位置ずれすることを防止できるセパレート着物を提供する。
【図面の簡単な説明】
【００１８】
【図１】本発明の本実施形態に係るセパレート着物を着用した状態の外観図。
【図２】図１に示すセパレート着物の上衣を示し、(Ａ)は上衣を着用する途中を前方からみた外観図、(Ｂ)は上衣を着用した状態を前方からみた外観図、(Ｃ)は上衣を着用した状態を後方からみた外観図である。
【図３】図１に示すセパレート着物の下衣を示し、(Ａ)は着用前の下衣を開いた状態で外側からみた外観図、(Ｂ)は着用前の下衣を開いた状態で内側からみた外観図である。
【図４】図３に示すセパレート着物の下衣のウエストベルト部を拡大して示し、（Ａ）は右腰紐通し部を左ウエスト部に形成する様子を示す概略図、（Ｂ）は後腰紐通し部を後ウエスト部に形成する様子を示す概略図、（Ｃ）は左腰紐通し部を左ウエスト部に形成する様子を示す概略図、（Ｄ）は腰紐通し部を左ウエスト部に形成する様子を示す概略図である。
【図５】図３に示す下衣を着用する状態を示す外観図であり、(Ａ)は下衣を着用する途中を前方からみた外観図、(Ｂ)は下衣を着用した状態を前方からみた外観図、(Ｃ)は下衣を着用した状態を後方からみた外観図である。
【図６】図２および図３に示すセパレート着物の上衣および下衣を着用した状態を示し、(Ａ)は前方からみた外観図、(Ｂ)は後方からみた外観図である。
【発明を実施するための形態】
【００１９】
［セパレート着物］
【００２０】
図１に示すように、セパレート着物１は、上衣２、下衣３および着物帯４を含む。上衣２は上半身に着用され、下衣３は下半身に着用される。セパレート着物１では、上衣２を着用した後に、下衣３を着用し、上衣の下部は下衣３の内側に収容された状態とされる(図６を参照)。
【００２１】
その状態で、着物帯４を巻かれる。着物帯４は、通常の着付けに使用される一般的なものであり、着物帯４の下側には、後述するおはしょり部３３がはみ出している。なお、以下において、上下左右、前後および内外を示す表現は、着用者の視点を前提として説明する。
【００２２】
［セパレート着物の上衣］
【００２３】
図２に示すように、上衣２は、主に、左前上身頃部２１、右前上身頃部２２、後上身頃部２３、左袖部２４および右袖部２５を備える。左前上身頃部２１、右前上身頃部２２は、着用者の体の前方側を覆い、後上身頃部２３は着用者の体の後方側を覆う。左袖部２４および右袖部２５は、それぞれ、着用者の左腕および右腕を通される。上衣２は、左袖部２４および右袖部２５に着用者の左右の腕を通され、後上身頃部２３が背中を覆った状態で、右前上身頃部２２の外側に左前上身頃部２１を重ねるように着用される。
【００２４】
後上身頃部２３は、着用時に着用者の背中を覆い、左前上身頃部２１は、後上身頃部２３の左端と連続して着用者の体の左側の前方側を覆い、右前上身頃部２２は、後身頃の右端と連続して着用者の体の右側の前方側を覆う。左袖部２４は、左前上身頃部２１と後上身頃部２３との境界に縫着され、右袖部２５は、右前上身頃部２２と後上身頃部２３との境界に縫着されている。
【００２５】
左前上身頃部２１の左端の腹部付近には左腹紐部２６が縫着され、右前上身頃部２２の右端の腹部付近には右腹紐部２７が縫着されている。また、後上身頃部２３の左右の略中央の腹部付近には、後背紐通し部２８が形成され、後上身頃部２３と左前上身頃部２１の境界には、左脇紐通し穴２９が形成されている。
【００２６】
上衣２の着用時に、右腹紐部２７は、左脇紐通し穴２９を通された後に、後背紐通し部２８を通されて、前方側まで移動する。また、左腹紐部２６は、後背紐通し部２８を通されて、前方側まで移動する。前方側に移動した右腹紐部２７と左腹紐部２６とを結んで上衣２を着用者の体に沿わせて着用される。
【００２７】
［セパレート着物の下衣］
【００２８】
図３に示すように、セパレート着物１の下衣３は、概略矩形の本体布地３ｓから形成され、一般的な着用者の踝（くるぶし）付近に位置する下端部を裾３ｐとし、当該裾３ｐから腰骨の上側まで延在し、上端部を腰上部３ｑとする。したがって、本体布地３ｓは、裾３ｐから腰上部３ｑまで延び、着用者の下半身に巻かれる。
【００２９】
下衣３は、着用者の下半身の大部分を覆う下身頃部３１と、着用者の腰上の位置に巻かれるウエストベルト部３２と、下衣３の外側であって、下身頃部３１とウエストベルト部３２の境界付近に形成され、左右方向に延びるおはしょり部３３が縫着されている。
【００３０】
下身頃部３１は、左側から左右方向に略均等な長さを有する、左前下身頃部３１１と、後下身頃部３１２と、右前下身頃部３１３とに分けられ、着用時に、右前下身頃部３１３と左前下身頃部３１１とは重なった状態で着用者の前側に位置し、後下身頃部３１２は着用者の後ろ側に位置する。
【００３１】
なお、下衣３では、右前下身頃部３１３は内側、左前下身頃部３１１は外側となるように重ねられる。また、右前下身頃部３１３は、その右端の裾３ｐから腰上部３ｑまでの長さ寸法が、左端の裾３ｐから腰上部３ｑまでの長さ寸法よりも左右方向に傾斜しながら短くなるように裁断されて、ダーツ部３１４をおはしょり部３３の下端付近に位置する付近に形成される(図３(Ｂ)を参照)。これにより、下衣３を下半身に巻いた際に、裾３ｐの左右の脇を細くみせることができ、いわゆる「裾すぼまり」の状態とし、着用状態を綺麗にすることができる。
【００３２】
おはしょり部３３は、左右方向に長尺のおはしょり部用布地の上端をウエストベルト部３２と下身頃部３１の境界付近に縫着する。おはしょり部３３は、上端が固定され、下端が自由端となった状態で、左右方向に延在して形成される。したがって、おはしょり部３３は、下身頃部３１に対して周方向に移動することがない。
【００３３】
ウエストベルト部３２は、左側から左右方向に略均等な長さを有する、左ウエスト部３２１と、後ウエスト部３２２と、右ウエスト部３２３とに分けられ、左ウエスト部３２１と、後ウエスト部３２２と、右ウエスト部３２３とは共同してカーブベルト状に形成される。
【００３４】
また、左ウエスト部３２１と、後ウエスト部３２２と、右ウエスト部３２３とは、それぞれ、左前下身頃部３１１と、後下身頃部３１２と、右前下身頃部３１３とに連続する。すなわち、左ウエスト部３２１は、左前下身頃部３１１から連続して、左右方向に略同一の長さに形成される。また、後ウエスト部３２２は、後下身頃部３１２から連続して左右方向に略同一の長さに形成される。また、右ウエスト部３２３は、右前下身頃部３１３から連続して、左右方向に略同一の長さに形成される。
【００３５】
ウエストベルト部３２は、左ウエスト部３２１の左端に取り付けられた左腰紐部３２４と、右ウエスト部３２３の右端に取り付けられた右腰紐部３２５とを備える。さらに、ウエストベルト部３２には、左ウエスト部３２１の左端部付近に形成された右腰紐通し部３２６と、後ウエスト部３２２の左右方向の略中央に形成された後腰紐通し部３２７と、右腰紐通し部３２６と後腰紐通し部３２７との間に形成された左腰紐通し部３２８とを備える。また、ウエストベルト部３２には、左ウエスト部３２１と後ウエスト部３２２との境界付近に、右腰紐部３２５を通される腰紐通し穴３２９を形成されている。
【００３６】
ウエストベルト部３２は、本体布地３ｓの上端を下側に折返して、中空空間を形成するように、上端をウエストベルト部３２の下端の位置に縫着して形成される。また、折り返された本体布地３ｓに形成される中空空間の後ウエスト部３２２にゴム紐を通し、そのゴム紐の両端を後ウエスト部３２２に縫着することにより、ウエストベルト部３２は、左右方向に伸縮可能に形成されている。また、後ウエスト部３２２は、伸縮を許容するように、伸縮部３２２a（複数のリブ）を形成されている。
【００３７】
図４（Ａ）に示すように、右腰紐通し部３２６は、ウエストベルト部３２の左ウエスト部３２１の左端に形成されており、上下方向に長尺の右腰紐通し部用布地３２６ａの上端と下端とをウエストベルト部３２の本体布地３ｓに縫着されることにより、１段の紐通部を形成する。右腰紐通し部３２６は、着用時に右腰紐部３２５を通される。
【００３８】
図４（Ｂ）に示すように、後腰紐通し部３２７は、ウエストベルト部３２の後ウエスト部３２２の中央に形成されており、上下方向に長尺の後腰紐通し部用布地３２７ａの上端と下端と中央とをウエストベルト部３２の布地に縫着されることにより、２段の紐通部を形成する。したがって、ベルト部を上段に通すか、下段に通すかで、下衣３の高さ位置、すなわち床面と裾３ｐの位置を調整することができる。後腰紐通し部３２７は、着用時に、右腰紐部３２５および左腰紐部３２４を通される。
【００３９】
図４（Ｃ）に示すように、左腰紐通し部３２８は、左ウエスト部３２１と後ウエスト部３２２の境界付近に形成されており、上下方向に長尺の左腰紐通し部用布地３２８ａの上端と下端とをウエストベルト部３２の本体布地３ｓに縫着されることにより、１段の紐通部を形成する。腰左紐通し部用布地３２８は、着用時に左腰紐部３２４を通される。
【００４０】
図４（Ｄ）に示すように、腰紐通し穴３２９は、左腰紐通し部３２８の形成された付近に、本体布地３ｓを布地に内側から外側に貫通する切り込み、すなわち貫通穴を形成することにより、１段の紐通部を形成する。
【００４１】
［下衣の着用手順］
【００４２】
図５および図６に示すように、下衣３を着用する際は、上衣２を着用した状態で上衣２の外側から、下衣３を、下端が踝付近に位置し、ウエストベルト部３２が腰骨の上に位置するように下半身に巻く(図６を参照)。下衣３を下半身に巻くとき、ウエストベルト部３２が腰上の位置で固定されるように左腰紐部３２４および右腰紐部３２５を着用者の腰上に巻いて結ぶ。
【００４３】
着用後のセパレート着物１は、上衣２の左前上身頃部２１と下衣３の左前下身頃部３１１とは対応し、上衣２の後上身頃部２３と下衣３の後下身頃部３１２とは対応し、上衣２の右前上身頃部２２と下衣３の右前下身頃部３１３とは対応し、着物帯４を巻いた状態で、それぞれ、上下で一体的な着物のような外観となる(図１を参照)。
【００４４】
下衣３を着用するときは、まず、図５に示すように右前下身頃部３１３を着用者の前側に沿わせ、右腰紐部３２５を、腰紐通し穴３２９に通し、左周りに、後腰紐通し部３２７を通した後に、右腰紐通し部３２６に通して、着用者の前側まで移動する。次に、左腰紐部３２４を、右回りにして、後腰紐通し部３２７に通した後に、左腰紐通し部３２８を通して着用者の前側まで移動する。そして、右腰紐部３２５と左腰紐部３２４とを着用者の前側で結ぶ。
【００４５】
後腰紐通し部３２７は、上下２段の紐通し部を形成しており、左腰紐部３２４および右腰紐部３２５は、着用者の体形にあわせて、どちらの紐通し部を通すか選択することができる。例えば、上側の紐通し部を通した場合には、下側の紐通し部を通した場合に比較して、裾３ｐの位置が低くなる。
【００４６】
また、下衣３において、右腰紐部３２５と左腰紐部３２４とが着用者の前方で結ばれた状態で、後ウエスト部３２２の伸縮部３２２aが着用者の体に沿うように伸縮し、下衣３を立体的に着用することができる。また、左右方向に延在するように右前下身頃部３１３に形成されたダーツ部３１４により、下衣３を下半身に巻いた際に、裾３ｐの左右の脇を細くみせることができ、いわゆる「裾すぼまり」の状態とし、着用状態を綺麗にすることができる。
【００４７】
次いで、上衣２の下側の部分を内側にした状態で、ウエストベルト部３２を巻かれた下衣３の外側から、着物帯４を巻く（図１を参照）。このとき、おはしょり部３３の下側が着物帯４の下側からはみ出るように、着物帯４を巻くことにより、おはしょり部３３の下側は、通常の着物の着付けで形成されるおはしょりに相当する外観となる。
【００４８】
このように、下衣３では、紐やゴムのような着付け小道具を用いることなく、おはしょりを形成できる。また、おはしょり部３３は、下衣３の本体布地３ｓに縫着されているため、左右方向（着用時の周方向）に移動することなく、本体布地３ｓとの位置関係を維持する。したがって、おはしょりが左右方向にずれるというようなことがなく、綺麗に着付けをすることができる。
【００４９】
以上のように着用されたセパレート着物１は、おはしょりを簡易かつ綺麗に形成し、着物の着方に習熟していない者でも、簡単に着姿が美しくなるよう着ることができる。
【００５０】
本実施形態において、右腰紐通し部３２６は、左ウエスト部３２１の左端に形成されている。しかし、右腰紐通し部３２６は、これに限定されず、他の場所に形成されていてもよい。例えば、右腰紐通し部３２６は、左ウエスト部３２１の中央に形成されていてもよい。
【００５１】
本実施の形態において、左腰紐通し部３２８は、後ウエスト部３２２と左ウエスト部３２１との境界付近の左ウエスト部３２１に形成されている。しかし、左腰紐通し部３２８は、これに限定されず、他の場所に形成されていてもよい。例えば、左腰紐通し部３２８は、左ウエスト部３２１寄りの後ウエスト部３２２に形成されていてもよい。
【００５２】
腰紐通し穴３２９は、後ウエスト部３２２と左ウエスト部３２１との境界付近の後ウエスト部３２２に形成されている。しかし、腰紐通し穴３２９は、これに限定されず、他の場所に形成されていてもよい。例えば、後ウエスト部３２２と左ウエスト部３２１との境界付近の左ウエスト部３２１に形成されていてもよい。
【００５３】
本実施形態に係るセパレート着物の下衣は、上衣と下衣とに分離されたセパレート着物の下衣であって、裾から腰上部まで延び、下半身に巻かれる本体布地と、前記本体布地の胴回りに沿って縫着されたおはしょり部とを備えていてもよい。
【００５４】
このような、セパレート着物の下衣によれば、胴回りに沿って設けられたおはしょり部が、下側からはみ出すように外側から着物帯を巻かれることにより、そのまま、従来の着物のおはしょりに相当するため、別途に、布地を折り込んでおはしょりを形成するための紐やゴム等の着付けの小道具を必要とせず、着付けに手間がかからない。
【００５５】
また、おはしょり部は、下衣の本体布地に縫着されているため、セパレート着物の下衣を着用して、着物帯を巻くときに、周方向に位置ずれすることがなく、さらに、おはしょりを形成するために、おはしょりベルトを必要とすることもない。したがって、おはしょりを簡易かつ綺麗に形成することができる。
【００５６】
前記腰上部は、左右方向に延在し、着用者の腰骨の上に巻かれて結ばれることにより固定されているウエストベルト部を備えていてもよい。このようにすれば、おはしょりを容易に形成できることに相まって、下衣が所定の位置に固定されて着物の着用を容易にできる。
【００５７】
前記ウエストベルト部は、左ベルト部、右ベルト部、後ベルト部とに左右方向に略均等に分けられており、前記左ベルト部の左端に設けられ紐状の左腰紐部と、前記右ベルト部の右端に設けられ紐状の右腰紐部と、前記左ベルト部と前記右ベルト部との境界付近に設けられ表裏に貫通する腰紐通し穴と、前記左ベルト部の左側に設けられ前記右腰紐部を通される右腰紐通し部と、後側に設けられ前記左腰紐部および前記右腰紐部とを通される後腰紐通し部とを備えていてもよい。
【００５８】
このようにすれば、おはしょりを容易に形成できることに相まって、各紐が紐通し部に通されて、ウエストベルト部が腰骨の上側に容易に巻くことができるようになり、下衣が安定して固定される。また、右腰紐部と左腰紐部とを結ぶことにより、本体布地が着用者の体、特にウエストや腰に沿った状態となり、セパレート着物の下衣の着用状態を綺麗にすることができる。
【００５９】
前記ウエストベルト部は、カーブベルト状に形成されている。このようにすれば、ウエストベルト部が体、特にウエストに沿った状態となり、セパレート着物の下衣の着用状態を綺麗にすることができる。
【００６０】
さらに、前記ウエストベルト部は、周方向に伸縮可能な伸縮部を備える。このようにすれば、伸縮部が伸縮してウエストベルト部が着用者の体、特にウエストに沿った状態となり、腰紐部の結びを必要以上に強くすることなく下衣を固定することができるため着用者の腹部を圧迫することがなく、またセパレート着物の下衣の着用状態を綺麗にすることができる。
【００６１】
前記本体布地は、その右端の前記裾から前記腰上部までの長さ寸法が、左端の前記裾から前記腰上部までの長さ寸法よりも左右方向に傾斜しながら短くなるように形成されていてもよい。このようにすれば、下衣を下半身に巻いた際に、裾の左右の脇を細くみせることができ、いわゆる「裾すぼまり」の状態となり、セパレート着物の下衣の着用状態を綺麗にすることができる。
【００６２】
本実施形態に係るセパレート着物は、裾から略腰上まで延び、下半身に巻かれる本体布地と、前記本体布地の胴回りに沿って縫着されたおはしょり部とを備える下衣と、前記下衣の内側に下側の一部を収容される上衣と、前記おはしょり部の下端がはみ出るように前記下衣の外側に巻かれる着物帯とを備えることを特徴とする。
【００６３】
このような、セパレート着物によれば、胴回りに沿って設けられたおはしょり部が、下側からはみ出すように外側から着物帯を巻かれることにより、そのまま、従来の着物のおはしょりに相当するため、別途に布地を折り込んでおはしょりを形成するための紐やゴム等の着付けの小道具を必要とせず、着付けに手間がかからない。
【００６４】
また、おはしょり部は、下衣の本体布地に縫着されているため、セパレート着物の下衣を着用して、着物帯を巻くときに、周方向に位置ずれすることがなく、さらに、おはしょりを形成するために、おはしょりベルトを必要とすることもない。したがって、おはしょりを簡易かつ綺麗に形成することができる。
【００６５】
なお、上記実施形態に示す構成は構成要素の具体例を挙げたものであり、各構成、形
状、又は取り付け態様は本発明の趣旨を逸脱しない限り、実施形態として示すものに限定
されることなく、種々の変形ないし変更が可能である。
【産業上の利用可能性】
【００６６】
本発明は、セパレート着物に適用できる。なお、着物には浴衣のような着衣も含む。
【符号の説明】
【００６７】
１      セパレート着物
２      上衣
３      下衣
４      着物帯
２１    左前上身頃部
２２    右前上身頃部
２３    後上身頃部
２４    左袖部
２５    右袖部
２６    左腹紐部
２７    右腹紐部
２８    後背紐通し部
２９    左脇紐通し穴
３１    下身頃部
３２    ウエストベルト部
３３    おはしょり部
３１１  左前下身頃部
３１２  後下身頃部
３１３  右前下身頃部
３１４  ダーツ部
３２１  左ウエスト部
３２２  後ウエスト部
３２３  右ウエスト部
３２４  左腰紐部
３２５  右腰紐部
３２６  右腰紐通し部
３２７  後腰紐通し部
３２８  左腰紐通し部
３２９  腰紐通し穴
【図１】
2019104994.tif 000003
【図２】
2019104994.tif 000004
【図３】
2019104994.tif 000005
【図４】
2019104994.tif 000006
【図５】
2019104994.tif 000007
【図６】
2019104994.tif 000008